(57)【要約】　　　（修正有）【課題】一度で容易に開封することができ、封入物の出し入れがしやすい封筒を提供する。【解決手段】本考案の封筒は、表紙１又は裏紙１０に開封部１１が設けられており、該開封部１１は表紙１又は裏紙１０の一辺に頂点をおいた三角形状であり、該開封部１１の外周に第１ミシン目１３と第２ミシン目１４が形成されており、前記開封部における三角形の頂点部分に、つまみが形成されていることを特徴とする。【選択図】　　　　図１
0003099557.tif 000002
【実用新案登録請求の範囲】
【請求項１】
　表紙と裏紙とからなる筒状に形成された封筒において、
表紙又は裏紙に開封部が設けられており、
該開封部は、表紙又は裏紙の一辺に頂点をおいた三角形状であり、
その開封部の外周にミシン目が形成されている
ことを特徴とする封筒。
【請求項２】
　前記開封部における三角形の頂点部分に、つまみが形成されている
ことを特徴とする請求項１記載の封筒。
【考案の詳細な説明】
【技術分野】
【０００１】
　本考案は、封筒に関し、さらに詳しくは、開封が容易で、封入物を出し入れしやすい封筒に関する。なお、本明細書にいう封筒にはのし袋や金封も含まれる。
【背景技術】
【０００２】
　従来、封筒の開封を容易にするため、封筒の短辺あるいは長辺に、ミシン目による帯状の開封部を設けたもの（例えば、特許文献１参照）や、封筒に２本の斜線と１本の直線からなる台形状のミシン目を設けて開封部を形成したもの（例えば、特許文献２参照）があった。さらに、封筒の上下又は左右にミシン目をほどこし、その間に２本のミシン目を掛け渡して開封部を形成したものもあった（例えば、特許文献３参照）。
【０００３】
　しかるに、開封部が封筒の一辺に帯状に形成されているものは、開口面積が小さいままであるので開いても封入物を取り出しにくいという問題がある。また、台形状にミシン目が設けられているものは、ミシン目に沿って開くには、１本のミシン目づつ順を追って破らなくてはならないので、一度に開封することはできないという問題がある。さらに、封筒の上下又は左右のミシン目の間に２本のミシン目を掛け渡したものは、ミシン目の部分が数ヶ所以上あり、やはり順にミシン目を破らなければならないので、開封に手間がかかるという問題がある。
【０００４】
【特許文献１】特開平１０−１８１７４９号
【特許文献２】特開２００１−２１３４４１号
【特許文献３】実開平６−２０２４７号
【考案の開示】
【考案が解決しようとする課題】
【０００５】
　本考案はかかる事情に鑑み、一度で容易に開封することができ、封入物を取り出しやすい封筒を提供することを目的とする。
【課題を解決するための手段】
【０００６】
　第１考案の封筒は、表紙又は裏紙に開封部が設けられており、該開封部は表紙又は裏紙の一辺に頂点をおいた三角形状であり、その開封部の外周にミシン目が形成されていることを特徴とする。
　第２考案の封筒は、前記開封部における三角形の頂点部分に、つまみが形成されていることを特徴とする。
【考案の効果】
【０００７】
　第１考案によれば、三角形状の開封部がミシン目で形成されているので、一度引き上げるだけで容易に封筒を開封することができ、開封部も大きく取れるので封入物を取り出しやすい。
　第２考案によれば、開封部における三角形の頂点部分に、つまみが形成されているので、引き上げやすく、容易に封筒を開封することができる。
【考案を実施するための最良の形態】
【０００８】
　つぎに、本考案の実施形態に係る封筒を図面に基づき説明する。
図１は本考案の第１実施形態に係る封筒Ａを裏面から見た平面図である。図２は第１実施形態の封筒Ａの展開図である。図３は第１実施形態の封筒Ａの使用説明図である。
【０００９】
　図１に示すように、第１実施形態の封筒Ａは、裏紙１０とそれと略同形状の表紙とから形成された長方形で筒状の封筒である。なお、封筒の外形は正方形でもよいし、一般的な封筒の規格である長形封筒、角形封筒、洋形封筒に沿った形状でもよい。また、封筒の材質は紙に限られず、ポリプロピレンやポリエチレンなどの合成樹脂フィルムあるいは不織布を材料としたものでもよい。
【００１０】
　図２の展開図に基づき、封筒Ａの形状を説明する。表紙１は、長四角形であり、裏紙１０も表紙１と同じ長四角形である。この表紙１と裏紙１０は、一枚の用紙からなり、その中央の折り目（以下、折り畳み線５という）で折り畳まれる。
前記表紙１の各辺には糊付け片が設けられている。すなわち、上部糊付け片２は表紙１の上部外延に沿って設けられている。下部糊付け片３は表紙１の下部外延に沿って設けられている。側部糊付け片４は表紙１の側部外延に沿って設けられている。
そして、上部糊付け片２と下部糊付け片３を、折り目に沿って折り畳んで糊付けして裏紙１０の短辺付近の外側面に接着させ、側部糊付け片４を折り目に沿って折り畳んで糊付けして裏紙１０の長辺付近の内側面に接着させると、筒状の封筒が形成される。
【００１１】
　封筒Ａの開封部１１は、裏紙１０の長辺の中央に頂点をおいた三角形状に形成されている。開封部１１における三角形の頂点部分には、開封部１１を裏紙から切り離しやすいように、つまみ１２が設けられている。
　開封部１１はこのつまみ１２の外延を始点とし、折り畳み線５の上端に向かって斜め上方に第１ミシン目１３が伸び、折り畳み線５の下端に向かって斜め下方に第２ミシン目１４が伸びるように形成されている。第１ミシン目１３の終点は折り畳み線５の上端に到達していても良いし、途中でまででも良い。第２ミシン目１４の終点も折り畳み線５の下端に到達していても良いし、途中でまででも良い。但し、ミシン目が長い方が開口面積を広くとることができるので好ましい。
　ミシン目は細かいものでもよいし、切り取りが容易な大きいものでもよい。
【００１２】
　つまみ１２は持ちやすいように、裏紙１０の一辺から突出して設けたものが好ましい。
　裏紙１０の一辺から突出したつまみ１２は、表紙側に折り畳んで、弱い糊で貼っておけば、配送時に邪魔にならないようにすることができる。
なお、始点の部分をつまみやすいように、第１ミシン目の始点と第２ミシン目の始点の間隔を空けておけば、つまみは設けていなくても良い。
【００１３】
　本実施形態の封筒Ａを使用する場合は、図３に示すように、つまみ１２を持って矢印方向に引き上げれば、引き上げ力が第１ミシン目１３と第２ミシン目１４にそのまま伝わるので、ミシン目１３、１４に沿ってきれいに開封することができる。
　つまり、開封部１１を三角形状に形成しているので、一度矢印方向に引き上げるだけで、自然に２本のミシン目に沿って開封部１１を切り離すことができ、容易に開封することができる。
また、開封部１１は三角形状であることから、開封後の開口部分の面積が大きいので、封入物の出し入れもしやすいという利点がある。
【００１４】
　図４は第２実施形態に係る封筒を裏面から見た平面図である。
　図４に示す第２実施形態の封筒Ｂのつまみ１２は、裏紙１０の一辺より内側に設けてある。つまり、つまみ部分の外形も裏紙１０にミシン目で形成されており、つまみ１２の外形と第１ミシン目１３と第２ミシン目１４が連続した１本のミシン目で形成されている。このようにしてあると、配達時などにつまみ１２が邪魔にならない。
【００１５】
　図５は第３実施形態の封筒Ｃを裏面から見たときの平面図である。図６は第３実施形態の封筒Ｃの展開図である。図７は第３実施形態の封筒Ｃの使用説明図である。
【００１６】
　第３実施形態の封筒Ｃは、図５に示すように、表紙１と第１裏紙１０aと第２裏紙１０bから形成された長方形で筒状の封筒である。封筒の外形や材質は第１実施形態で説明したものと同様である。
【００１７】
　図６の展開図に基づき、封筒Ｃの形状を説明する。表紙１は長四角形である。第１裏紙１０aと第２裏紙１０bは、細幅の長四角形であって、表紙１の左右の長辺に折り畳み線５aと折り畳み線５bを介してつなげたものである。この、第１裏紙１０aと第２裏紙１０bは折り畳み線５a、５bで折り畳むと表紙１と同じ大きさになるように形成されている。
前記表紙１の上下辺には糊付け片が設けられている。つまり、上部糊付け片２は表紙１の上部外延に沿って設けられている。下部糊付け片３は表紙１の下部外延に沿って設けられている。
第１裏紙１０aと第２裏紙１０bを折り畳んだ後に、上部糊付け片２と下部糊付け片３を折り畳んで糊付けすると、筒状の封筒Ｃが形成される。
【００１８】
　封筒Ｃの開封部１１は第１裏紙１０aの長辺の中央に頂点をおいた三角形状に形成されている。第１実施形態と同様に、開封部１１における三角形の頂点部分に、つまみ１２が設けられている。
開封部１１はこのつまみ１２の外延から第１裏紙１０aと表紙１の折り畳み線５の上端に向かって斜め上方に第１ミシン目１３が伸び、折り畳み線５aの下端に向かって斜め下方に第２ミシン目１４が伸びるように形成されている。
第１ミシン目１３の終点は折り畳み線５aの上端に到達していても良いし、途中でまででも良い。第２ミシン目１４の終点も折り畳み線５aの下端に到達していても良いし、途中でまででも良い。但し、ミシン目が長い方が開口面積を広くとることができるので好ましい。
　第１実施形態と同様に、ミシン目は細かいものでもよいし、切り取りが容易な大きいものでもよい。
【００１９】
　つまみ１２は持ちやすいように、第１裏紙１０aの一辺から突出して設けても良いし、第１裏紙１０aの一辺より内側につまみが設けてあっても良い。
なお、始点の部分をつまみやすいように、第１ミシン目の始点と第２ミシン目の始点の間隔を空けておけば、つまみは設けていなくても良い。
【００２０】
　本実施形態の封筒Ｃを使用する場合は、図７に示すように、つまみを持って矢印方向に引き上げれば、引き上げ力が第１ミシン目１３と第２ミシン目１４にそのまま伝わるので、ミシン目１３、１４に沿ってきれいに開封することができる。
また、開封部１１は三角形状であり、開封後の開口部分の面積が大きいので、封入物の出し入れもしやすい。
【産業上の利用可能性】
【００２１】
　本考案は、郵便用の封筒やのし袋、金封など種々の形態の袋状物であって開封してものを入れることができるものであれば、どのような形態、用途の封筒にも適用できる。
【図面の簡単な説明】
【００２２】
【図１】本考案の第１実施形態に係る封筒Ａを裏面から見た平面図である。
【図２】第１実施形態の封筒Ａの展開図である。
【図３】第１実施形態の封筒Ａの使用説明図である。
【図４】第２実施形態に係る封筒を裏面から見た平面図である。
【図５】第３実施形態の封筒Ｃを裏面から見たときの平面図である。
【図６】第３実施形態の封筒Ｃの展開図である。
【図７】第３実施形態の封筒Ｃの使用説明図である。
【符号の説明】
【００２３】
１　表紙
２　上部糊付け片
３　下部糊付け片
４　側部糊付け片
５　折り畳み線
５a　折り畳み線
５b　折り畳み線
１０　裏紙
１０a　第１裏紙
１０b　第２裏紙
１１　開封部
１２　つまみ
１３　第１ミシン目
１４　第２ミシン目
【図１】
0003099557.tif 000003
【図２】
0003099557.tif 000004
【図３】
0003099557.tif 000005
【図４】
0003099557.tif 000006
【図５】
0003099557.tif 000007
【図６】
0003099557.tif 000008
【図７】
0003099557.tif 000009